Podtech/llm-jp-corpus-v4-ja_patent huggingface dataset:
(57)【要約】【課題】本発明の課題は、電子レンジを用いて油脂を短時間で石鹸にかえることにある。また、本発明の別な課題は、エタノールなどを加えることにより、より容易に油脂を短時間で石鹸にかえることにある。【解決手段】本発明者らは今回、電子レンジを用いてマイクロ波照射（２４．５ＭＨｚ）により、油と水酸化ナトリウムを用いて、３０秒間で石鹸を製造することに初めて成功した。これまで石鹸の合成には最低１時間近くかかったが、この方法で簡易に、しかも迅速合成できた。また、この石鹸合成は収率１００％である。さらに、エタノールなどを加えることにより、より容易に油脂を短時間で石鹸にかえることができた。この石鹸合成方法は広範囲に応用が期待できる。【特許請求の範囲】
【請求項１】
電子レンジを用いて石鹸を３０秒間で合成した。その簡易合成に関する方法
【発明の詳細な説明】
【発明の詳細な説明】
【技術分野】
【０００１】本発明は、電子レンジを用いて石鹸を３０秒間で合成した。その簡易合成に関するものである。
【背景技術】
【０００２】油脂に水酸化ナトリウムを加え、長時間加熱して合成されてきた
【発明が解決しようとする課題及び課題を解決するための手段】
【０００３】本発明の課題は、石鹸を迅速簡易合成により提供することにある。本発明者は今回、市販の電子レンジを用いて、油脂に水酸化ナトリウムを加え、マイクロ波照射（２４．５ＭＨｚ）の分子加熱により、３０秒間で収率１００％で石鹸製造することに初めて成功した。
【実施例】
【０００４】石鹸の製造（１）
例として図１に生成した石鹸の様子を示す。
１００ｍｌビーカーに油脂５ｇ、水１０ｇ、ＮａＯＨ５ｇを入れ、７００Ｗ電子レンジ（図１）に取りつける。電子レンジのスイッチを入れてマイクロ波（振動数２４．５ＭＨｚ）を照射する。マイクロ波加熱後約３０秒で、溶液は白くなる。ビーカーに生じた沈殿をろかする。ろ過した沈殿物に水５０ｍｌ加え沈殿を洗い乾燥する。収率９５％、マススペクトルの結果、オレイン酸ナトリウム、リノール酸ナトリウム、リノレン酸ナトリウムのピークと考えられる分子イオンピーク３０５．２、３０３．１、３０１．１に観測された。【０００５】石鹸の製造（２）
１００ｍｌビーカーに油脂５ｇ、水１０ｇ、エタノール１０ｍｌ、ＮａＯＨ５ｇを入れ、７００Ｗ電子レンジ（図１）に取りつける。電子レンジのスイッチを入れてマイクロ波（振動数２４．５ＭＨｚ）を照射する。マイクロ波加熱後約３０秒で、溶液が白い泡になる（Ｆｉｇ１）。ビーカーに生じた沈殿をろかする。ろ過した沈殿物に塩化ナトリウム水溶液５０ｍｌ加え沈殿塩析し水で洗い乾燥する。（Ｆｉｇ２）収率９５％、マススペクトルの結果、オレイン酸ナトリウム、リノール酸ナトリウム、リノレン酸ナトリウムのピークと考えられる分子イオンピーク３０５．２、３０３．１、３０１．１に観測された。（Ｆｉｇ３）
石鹸の製造（３）
１００ｍｌビーカーに油脂５ｇ、水１０ｇ、ＫＯＨ５ｇを入れ、７００Ｗ電子レンジ（図１）に取りつける。電子レンジのスイッチを入れてマイクロ波（振動数２４．５ＭＨｚ）を照射する。マイクロ波加熱後約３０秒で、溶液は白くなる。ビーカーに生じた沈殿をろかする。ろ過した沈殿物に水５０ｍｌ加え沈殿を洗い乾燥する。
【発明の効果】
本発明は、電子レンジでマイクロ波照射により分子加熱によって、石鹸の合成を行うため、３０秒間で石鹸の合成が可能である。反応時間の短縮と分子加熱による合成は副反応や未反応による副生成物の生成を抑制し、高収率で目的の石鹸の合成を可能にする。
【図１】
2006052369.tif 000002
【図２】
2006052369.tif 000003
【図３】
2006052369.tif 000004
【手続補正書】
【提出日】平成16年10月4日(2004.10.4)
【手続補正１】
【補正対象書類名】明細書
【補正対象項目名】全文
【補正方法】変更
【補正の内容】
【発明の詳細な説明】
【０００１】マイクロ波加熱による簡易短時間石鹸合成法
【技術分野】
【０００２】  本発明は、電子レンジを用いて石鹸を３０秒間で合成した。その簡易合成に関するものである。
【背景技術】
【０００３】油脂に水酸化ナトリウムを加え、長時間加熱して合成されてきた
【発明が解決しようとする課題及び課題を解決するための手段】
【０００４】  本発明の課題は、石鹸を迅速簡易合成により提供することにある。本発明者は今回、市販の電子レンジを用いて、油脂に水酸化ナトリウムを加え、マイクロ波照射（２４．５ＭＨｚ）の分子加熱により、３０秒間で収率１００％で石鹸製造することに初めて成功した。
【実施例】
【０００５】石鹸の製造（１）
例として図１に生成した石鹸の様子を示す。
１００ｍｌビーカーに油脂５ｇ、水１０ｇ、ＮａＯＨ５ｇを入れ、７００Ｗ電子レンジ（図１）に取りつける。電子レンジのスイッチを入れてマイクロ波（振動数２４．５ＭＨｚ）を照射する。マイクロ波加熱後約３０秒で、溶液は白くなる。ビーカーに生じた沈殿をろかする。ろ過した沈殿物に水５０ｍｌ加え沈殿を洗い乾燥する。収率９５％、マススペクトルの結果、オレイン酸ナトリウム、リノール酸ナトリウム、リノレン酸ナトリウムのピークと考えられる分子イオンピーク３０５．２、３０３．１、３０１．１に観測された。
石鹸の製造（２）
１００ｍｌビーカーに油脂５ｇ、水１０ｇ、エタノール１０ｍｌ、ＮａＯＨ５ｇを入れ、７００Ｗ電子レンジ（図１）に取りつける。電子レンジのスイッチを入れてマイクロ波（振動数２４．５ＭＨｚ）を照射する。マイクロ波加熱後約３０秒で、溶液が白い泡になる（Ｆｉｇ１）。ビーカーに生じた沈殿をろかする。ろ過した沈殿物に塩化ナトリウム水溶液５０ｍｌ加え沈殿塩析し水で洗い乾燥する。（Ｆｉｇ２）収率９５％、マススペクトルの結果、オレイン酸ナトリウム、リノール酸ナトリウム、リノレン酸ナトリウムのピークと考えられる分子イオンピーク３０５．２、３０３．１、３０１．１に観測された。（Ｆｉｇ３）
石鹸の製造（３）
１００ｍｌビーカーに油脂５ｇ、水１０ｇ、ＫＯＨ５ｇを入れ、７００Ｗ電子レンジ（図１）に取りつける。電子レンジのスイッチを入れてマイクロ波（振動数２４．５ＭＨｚ）を照射する。マイクロ波加熱後約３０秒で、溶液は白くなる。ビーカーに生じた沈殿をろかする。ろ過した沈殿物に水５０ｍｌ加え沈殿を洗い乾燥する、
【発明の効果】
【０００６】  本発明は、電子レンジでマイクロ波照射により分子加熱によって、石鹸の合成を行うため、３０秒間で石鹸の合成が可能である。反応時間の短縮と分子加熱による合成は副反応や未反応による副生成物の生成を抑制し、高収率で目的の石鹸の合成を可能にする。
【図面の簡単な説明】
【０００７】
【図１】電子レンジで３０秒加熱後の生成した石鹸の様子
【図２】塩化ナトリウムで塩析後の石鹸の様子
【図３】合成した石鹸のＥＳＩマススペクトル
【符号の説明】
【０００８】横軸のＭａｓｓ（ｍ／ｚ）は、試料の質量数をイオンの電荷で割ったもの。
縦軸のＩｎｔｅｎｓｉｔｙは、生成したフラグメントイオンの強度
(57)【要約】【課題】排気ガスが排気管を通る際に発生する抵抗により排気効率が下がってしまうのを抑える事です。【解決手段】排気管の内側にライフルの銃口のような螺旋状の溝を付ける事により排気ガスに回転を与えます。それによって、排気ガスのスピードを上げ排気効率を上げます。【特許請求の範囲】
【請求項１】
この発明は排気管の内側にライフルの銃口のような螺旋状の溝を付ける事により、排気ガスに回転を与え、排気効率を上げる工夫である。
【発明の詳細な説明】
【発明の詳細な説明】
【産業上の利用分野】
【０００１】  この発明はエンジンの排気ガスの排気効率を上げる工夫です。
【背景技術】
【０００２】  現在の製品は排気ガスが排気管を通る時の抵抗を下げるための工夫はほとんどありませんでした。
【発明が解決しようとする課題】
【０００３】  排気ガスが排気管を通る際に発生する抵抗により、排気効率が下がってしまうのを抑える事が発明の解決しようとする課題です。
【課題を解決するための手段】
【０００４】  排気ガスが排気管を通る際に発生する抵抗を下げる事により排気効率を上げる事です。
【発明を実施するための最良の形態】
【０００５】  排気管の内側にライフルの銃口のような螺旋状の溝を付ける事により、排気ガスに回転を与えます。それによって、排気ガスのスピードを上げ排気効率を上げます。
【発明の効果】
【０００６】  排気ガスの排気管を通る際に発生する抵抗を下げエンジン出力の向上と燃費の向上が発明の効果です。
(57)【要約】【課題】内燃機関の燃焼効率を高めるためには高度の技術を必要とし、且つ、車両への搭載費用が高い。【解決手段】内燃機関の吸気側に炭素混合物を設置する。炭素混合物は例えば、廃タイヤを非燃焼熱分解処理、水蒸気瞬爆方式で作製し微粒化したものに重炭酸ナトリウム及びシリカゲルを混合し袋状容器に詰める。【選択図】図１
2006052720.tif 000002
【特許請求の範囲】
【請求項１】
内燃機関の燃焼効率を高めることを特徴とする炭素混合物
【請求項２】
前記炭素混合物を内燃機関の吸気側に設置したことを特徴とする請求項１記載の炭素混合物。
【発明の詳細な説明】
【技術分野】
【０００１】  この発明は、自動車エンジン等の内燃機関の燃焼効率向上に関する。
【背景技術】
【０００２】  従来の燃焼効率を高める方法としては、電子制御コモンレール式高圧燃料噴射システム等の燃やし方を工夫して排出ガスをきれいにする方法。更にインタークーラーターボチャージャー等の空気を増やす方法。これらを冷やして燃焼効率を高める方法等多くの方法が実践されている。
【発明の開示】
【発明が解決しようとする課題】
【０００３】しかしながら、以上の技術によれば、高度の技術が必要とされ、特にこれらの車両への搭載費用が大きい。
そこで、この発明は、簡単で安価に燃焼効率の向上を提供することを課題とする。
【課題を解決するための手段】
【０００４】  以上の課題を解決するために、第一発明は、内燃機関の燃焼効率を高めることを特徴とする炭素混合物である。
また、第二発明は、内燃機関の吸気側に設置することを特徴とする炭素混合物である。
【発明の効果】
【０００５】  本発明によれば、燃料の消費が少ない。且つ特にディーゼルエンジンの場合ディーゼル黒煙が少ない。
【発明を実施するための最良の形態】
【０００６】  この発明の一実施形態を、図１に示す。
実用に供した炭素混合物は、廃タイヤを非燃焼熱分解処理、水蒸気瞬爆方式で作製した活性炭を微粒化し、これらに重炭酸ナトリウム及びシリカゲルを混合し密閉した袋状容器１に詰めた。この容器１を粘着テープで自動車用エンジンの吸気側に装着されているエアーフィルター２の内側面２１に複数個貼り付けた。【０００７】「実施形態の効果」
この実施形態によれば、一例として同一走行距離で中型乗用車の場合燃料の消費量が約２０％低減した。また、特にディーゼルエンジンの場合はディーゼル黒鉛が減少した。【０００８】「他の実施形態」
図１の実施形態では、炭素混合物は袋状容器に詰められたが、二例の実施形態では、炭素混合物を平板に均一に貼り付けたもの、三例の実施形態では、炭素混合物を混練し平板状に形成したもの、四例の実施形態では、炭素混合物を内蔵した同一の袋状容器にアルミ板を挿入しても良い。
【図面の簡単な説明】
【０００９】
【図１】この発明の一実施形態を示す斜視図である。
【符号の説明】
【００１０】１  炭素混合物内蔵袋状容器          ２  エアーフィルター
２１  エアーフィルター内側面
【図１】
2006052720.tif 000003
(57)【要約】      （修正有）【課題】風況精査をして風力発電として最適の場所を求める。【解決手段】兵庫県朝来郡生野町栃原段ヶ峰高原及び周辺地帯で風力発電を行う。【選択図】なし【特許請求の範囲】
【請求項１】
段ケ峰高原及びその周辺地帯での風車による、風力発電事業を行なう権利
【請求項２】
請求の範囲
［別紙地図上にて明記］
【発明の詳細な説明】
【技術分野】
【０００１】本発明は兵庫県朝来郡生野町栃原段ケ峰高原及び周辺地帯での、風力発電を行なうものである．
【背景技術】平成１５年１１月より風況精査の結果風力発電による．
採算がみこまれる、見通しが生じた．
【発明の効果】
【０００２】風況精査の結果出力２０００Ｋｗ級の風車が約２０基の建設可能となり年間約８７６０万Ｋｗの発電が可能となった．
【手続補正書】
【提出日】平成16年8月17日(2004.8.17)
【手続補正１】
【補正対象書類名】明細書
【補正対象項目名】背景技術
【補正方法】追加
【補正の内容】
平成１５年１１月１日より平成１６年３月３１日まぜの５ケ月間の風況精査のデータブックの提出
１．調査目的
本調査は、兵庫県生野町段ヶ峰における風力開発の事業化の可能性について風況精査を実施し、評価することを目的としている。
２．風況観測内容
風力発電の立地が有望と思われる地点において、風力エネルギー取得量等を検討するために風況精査を実施した。
なお、本調査報告書は新エネルギー・産業技術総合開発機構（以下、ＮＥＤＯとする）が作成した『風況精査マニュアル（概要版）平成９年１２月版』（以下、風況精査マニュアルとする）に準拠しており、その内容は同じくＮＥＤＯがおこなっている『平成１５年度風力発電フィールドテスト事業（風況精査）』の調査内容と風況データの整理・解析方法に基づいて作成している。以下に調査の内容を示す。
２．１  観測地点
観測地点は、兵庫県中部山間地にある生野町に位置し、観測機器は段ヶ峰に連なる尾根筋のフトウガ峰（標高１０８３ｍ）の山頂にある。
観測地点の位置図を第２．１−１図に、住所および緯度・経度を第２．１−１表に示す。また、観測地点の周辺状況写真を第２．１−２（１）図および第２．１−２（２）図に示す。
2006052715.tif 000002
２．２  観測期間
平成１５年１１月１日〜平成１６年３月３１日（５ヶ月間）
２．３  観測項目と観測機器
２．３．１  観測項目と平均化時間
観測項目と平均化時間を第２．３．１−１表に示す。
2006052715.tif 000003
２．３．２  観測機器の仕様
観測機器はＮＲＧシステムを採用した。センサーは風杯型風速計および矢羽根型風向計を使用し、観測ポールの地上高３０ｍおよび２０ｍの位置に設置した。
各センサーから出力されるデータについては、記録計（データロガー）内のメモリーチップに記録される。
本調査に使用した観測機器の仕様を第２．３．２−１表に示す。
2006052715.tif 000004
２．３．３  観測システムの設置状況
風況観測システムの模式図を第２．３．３−１図に、配置図を第２．３．３−２図に、設置状況写真を第２．３．３−３図に示す。
2006052715.tif 000005
３．データの処理方法
観測した１０分間の平均データは、異常値等の確認をおこない、修正等を施した後、スカラー平均で１時間平均値に変換した。また、風向については１０分間の平均風向をベクトルｘ、ｙ成分に分解し、それぞれ６つのデータの平均より１時間値のｘ、ｙ成分を求めた。データファイル形式ならびにフォーマットは以下のとおりである。
▲黒四角▼データファイルの形式：エクセルファイル
▲黒四角▼データフォーマット  ：第３−１表、第３−２表参照
2006052715.tif 000006
2006052715.tif 000007
４．観測データの整理・解析
観測データの整理・解析については後期分に委ねるが、ここでは観測地点の平成１６年３月末日までの観測結果に基づき、次の２項目についてデータの整理・解析をおこなった。
なお、データ解析にあたっては１時間平均風速値を基本データに用いている。
▲１▼  風速
▲２▼  風向
また、観測データには低温・着雪が原因と思われるセンサーの凍結によって欠測が生じたため、下記の欠測期間については解析の対象から除外した。
【欠測期間】
▲１▼  ２００４年３月１８日１０：００〜３月１９日１４：００（２９時間、欠測日数２日）
▲２▼  ２００４年３月２２日２３：００〜３月２３日１０：００（１２時間、欠測日数０日）
４．１  平均風速
観測地点の期間平均風速ならびに月別平均風速を第４．１−１表および第４．１−１図に示す。
地上高３０ｍにおける期間平均風速は７．３ｍ／ｓであり、月別の平均風速は６．１ｍ／ｓ（１月）〜７．９ｍ／ｓ（１１月）であった。
2006052715.tif 000008
2006052715.tif 000009
４．２  平均風向
観測地点の月別の風配図を第４．２−１図に示す。
2006052715.tif 000010
６．まとめ
地上高３０ｍにおける期間平均風速は７．３ｍ／ｓであり、月別の平均風速は６．１ｍ／ｓ（１月）〜７．９ｍ／ｓ（１１月）であった。
参考資料
参考資料として下記の資料を次頁以降に示す。
（１）風況結果
（２）風況データ＜１０分間値及び１時間値＞
（３）観測システム設置状況写真
（１）風況結果
2006052715.tif 000011
2006052715.tif 000012
2006052715.tif 000013
2006052715.tif 000014
2006052715.tif 000015
【手続補正書】
【提出日】平成16年12月16日(2004.12.16)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】本発明は兵庫県朝来郡生野町栃原段ケ峰高原及び周辺地帯での風力発電事業を行なうものである．
【背景技術】平成１５年度新エネル−ギ・産業技術総合開発機構  兵庫県生野町段ケ峰における風力発電フィ−ルドテスト事業委託研究の風況精査の結果風力発電による．採算が見込まれる．見通しが生じた．１ケ年間分の観測デ−タを添付する．【０００２】
【発明の効果】
風況精査の結果出力１５００ＫＷ級の風車．約４０基の建設が．可能となり．推定年間約１５０，０００．０００ＫＷの発電が可能となった．
(57)【要約】【課題】  コイルバネの曲げ部に発生する内部応力が高い部分に、応力集中の分散およびコイルバネの反動を抑える構造を有した部品を付加し、コイルバネの寿命向上を図る。【解決手段】  コイルバネ２を利用したカバー開閉において、コイルバネ２の曲げＲ部１５にＲをほどこしたプラスチック製部品を摺動させるとともに、プラスチック製部品に設けられたＶ溝１１にコイルバネ２が入りこんでくさび効果によりコイルバネ２の反動を抑え、コイルバネ２に連動したセットカバー８のはねかえりを抑える。【選択図】          図１
2006052778.tif 000002
【特許請求の範囲】
【請求項１】
曲げ部を有するコイルバネを利用したカバー部材のヒンジ機構であって、前記コイルバネの曲げ部に沿う様にＲ形形状及び前記コイルバネの曲げ部付近を保持可能なＶ溝が形成され、且つ前記コイルバネと摺動するプラスチック製のブロック部材を備えたことを特徴とするカバー部材のヒンジ機構。
【発明の詳細な説明】
【技術分野】
【０００１】
本発明は、コイルバネを有するカバー部材のヒンジ機構において、カバー開閉回数の耐久力を向上したヒンジ機構に関するものである。
【背景技術】
【０００２】
従来より、一般的な事務機器、例えばプリンタには、上方に開閉可能なカバーが取り付けられているものがある。そのカバーのヒンジ機構は、図４に示すように、コイルバネ２の反動力を利用してセットカバー８を閉状態で保持するようになっている。
【０００３】
コイルバネ２とカバヒンジプレートＡ１６は共に金属製である。そのため、セットカバー８を開けると、カバヒンジプレートＡ１６が矢印方向に動き、コイルバネ２に接触して停止する構造であり、コイルバネ２が次第に磨耗するため、コイルバネの耐久性を向上させる必要があった。
【０００４】
一方で、プリンタカバーのヒンジ機構取り付けスペースが狭く、市販のガススプリングやバランサ等ヒンジ開閉製品の利用は困難である。
【発明の開示】
【発明が解決しようとする課題】
【０００５】
カバー開閉でコイルバネを有したヒンジ機構部において、コイルバネの曲げ部に発生する内部応力が高い部分に金属を接触させているため、コイルバネの表面が磨耗し傷が発生しやすい。
【０００６】
本発明の目的は、従来のコイルバネの寿命向上を安価に達成することである。
【課題を解決するための手段】
【０００７】
上記課題を解決するため、本発明は、曲げ部を有するコイルバネを利用したカバー部材のヒンジ機構であって、前記コイルバネの曲げ部に沿う様にＲ形形状及び前記コイルバネの曲げ部付近を保持可能なＶ溝が形成され、且つ前記コイルバネと摺動するプラスチック製のブロック部材を備えたことを特徴とする。
【発明の効果】
【０００８】
本発明は、コイルバネがプラスチック製ヒンジブロックのＲ部と摺動し、ヒンジブロックに設けたＶ溝にコイルバネが入り込む構造のため、コイルバネの表面磨耗による傷の発生を防止し、更に、Ｖ溝による楔効果により、コイルバネの反動を抑えることで、ヒンジの寿命を向上させる。
【発明を実施するための最良の形態】
【０００９】
Ｒ部を持ちＶ溝を設け、コイルバネを摺動可能なプラスチック製のヒンジブロックにより、従来部品との互換性を保ちながら、長寿命のヒンジ機構を得ることを実現した。
【実施例１】
【００１０】
図１は、本発明を適用するカバー部分を裏側から見た斜視図であり、図２は、本発明の１実施例となるヒンジ部を拡大した側面図である。
【００１１】
コイルバネ２は、ヒンジスプリングシャフト３を介してヒンジスプリングホルダ１に取り付けられている。また、ヒンジスプリングホルダ１は、ヒンジスプリングシャフト３とヌキドメリング５によりヒンジプレートクミ４に取り付けられている。この符号１〜６のクミをセットカバヒンジクミ６と呼ぶ。このセットカバヒンジクミ６は、ネジＡ１２でトップカバー７に取り付けられている。また、セットカバヒンジクミ６に連結されているセットカバー８に、カバヒンジプレート９がネジＢ１３により取り付けられている。
【００１２】
Ｒ部を有しＶ溝１１が設けられたプラスチック製のヒンジブロック１０がネジＣ１４によりカバヒンジプレート９に取り付けられる。
カバヒンジプレート９にコイルバネ２が連結し、コイルバネ２がヒンジブロック１０と摺動する構造になっている。そして、コイルバネ２がヒンジブロック１０のＲ部１５で摺動し、コイルバネ２がＶ溝１１に入り込む。
【００１３】
図３は、本発明装置の１実施例の断面図(Ｖ溝構造)である。
【００１４】
コイルバネ２の直径ＤとＶ溝１１の幅Ｌの関係はＤ＞Ｌであり、コイルバネ２がＶ溝１１に入り込むことで、プラスチックの弾力によりコイルバネ２が押さえ付けられる。このくさび効果によってコイルバネ２の反動を抑え、連動するセットカバー８を開く際の跳ね返りを抑えることが可能となる。 
このように、コイルバネと摺動する部位にＲ部を持ちＶ溝を設けたプラスチック部品を取付けることによって、コイルバネにかかる応力集中の分散およびコイルバネの反動を抑えることが可能となる。
【図面の簡単な説明】
【００１５】
【図１】ヒンジ機構の実施方法を斜視図で示した説明図である。（実施例１）
【図２】側面より見たヒンジ機構の実施方法を示した説明図である。（実施例1）
【図３】プラスチック製ヒンジブロックのＶ溝構造を示した説明図である。（実施例1）
【図４】従来のヒンジ機構を側面より示した見た説明図である。（従来例）
【符号の説明】
【００１６】
１はヒンジスプリングホルダ、２はコイルバネ、３はヒンジスプリングシャフト、４はヒンジプレートクミ、５はヌキドメリング、６はセットカバヒンジクミ、７はトップカバー、８はセットカバー、９はカバヒンジプレート、１０はヒンジブロック、１１はＶ溝、１２はネジＡ、１３はネジＢ、１４はネジＣ、１５はＲ部、１６はカバヒンジプレートＡである。
【図１】
2006052778.tif 000003
【図２】
2006052778.tif 000004
【図３】
2006052778.tif 000005
【図４】
2006052778.tif 000006
(57)【要約】【課題】  取っ手付き紙パック容器を提供する。【解決手段】  紙パック容器の上部中央に切れ込み部分を設け、その両側に指を入れられる穴を設け、穴が取っ手となることを特徴とする紙パック容器。【選択図】  図１
2006052005.tif 000002
【特許請求の範囲】
【請求項１】
紙パック容器の上部中央に切れ込み部を設け、その両側に穴があることを特徴とする紙パック容器。
【発明の詳細な説明】
【技術分野】
【０００１】  本発明は、取っ手付き紙パック容器に関するものである。
【背景技術】
【０００２】  従来、紙パック容器は持つところが無く、容器本体を持っていた。
【発明の開示】
【発明が解決しようとする課題】
【０００３】  そのために、次のような問題点があった。
（イ）容器本体を持つため、持ちにくく、また、滑ってしまうこともある。
（ロ）容器上部のへこみに指を入れて持つことも、封を開けてからでは難しい。
（ハ）開封の時、力が要るし、きれいに注ぎ口ができない。
本発明は、これらの問題点を解決するためのものである。
【課題を解決するための手段】
【０００４】  紙パック容器の上部を延ばし、その中央部分に切れ込みを作り、その両側に指を入れら穴を設ける。穴は指を入れ釣り下げ取っ手として使用します。上部中央の切れ込みは、開封を邪魔せずに行なえるためのものであり、開封する側の穴を両手で左右に開くことにより、開封が楽に行なえるものです。
【発明の効果】
【０００５】  紙パック容器の上部中央部分の切れ込みは、開封を邪魔せずにスムースにするものであり、その両側の穴は取っ手となるため、穴に指を掛け持つことができる。また、開封する側の穴を両手で左右に開くことにより、開封を楽に行なえるものです。
【発明を実施するための最良の形態】
【０００６】  以下、本発明の実施の形態について説明する。
（イ）紙パック容器（１）の上部を延ばし、中央部分に切れ込み（２）を設ける。
（ロ）切れ込み（２）の両側に取っ手になる穴（３）設ける。
本発明は以上のような構成で、これを使用するときは、取っ手になる穴（３）に指を掛け、下げて持運びを楽にする。また、開封する際は、開封する側の穴を両手で左右に開くことにより、容易に開封できるものである。
【図面の簡単な説明】
【０００７】
【図１】  本発明の斜視図
【符号の説明】
【０００８】      １  紙パック容器
２  切れ込み
３  穴
【図１】
2006052005.tif 000003
(57)【要約】【課題】  ラップフィルムを均等に引き出すための棒を備えた、ラップフィルムの引き出し器具を提供する。【解決手段】  ラップフィルム収納箱のフィルムを引き出す方の側面上部に、フィルムを付着させて均等に引き出す為の棒を収納するケースを設置し、同じ側面中央上部及びケース中央部に、棒とフィルムを掴んで引き出す為の指を入れる切込みを設け、収納箱の横側面に、棒をケースに差し入れる為の切込みを設け、収納箱の上蓋の横側面に、棒を通してケースに差し入れる為の穴を設けたことを特徴とする、ラップフィルムの引き出し器具。【選択図】  図１
2006052009.tif 000002
【特許請求の範囲】
【請求項１】
ラップフィルム収納箱のフィルムを引き出す方の側面上部に、ラップフィルムを付着させて均等に引き出すための棒を収納するケースを設置し、同じ側面中央上部及びケースの中央部に、棒とフィルムを掴んで引き出すための指を入れる切込みを設け、収納箱の横側面に、棒をケースに差し入れるための切込みをケースの位置に合わせて設けたことを特徴とする、ラップフィルムの引き出し器具。
【発明の詳細な説明】
【技術分野】
【０００１】  本発明は、ラップフィルムを均等に引き出す為の棒を備えた、ラップフィルムの引き出し器具に関するものである。
【背景技術】
【０００２】  従来、ラップフィルムの使用時には、ラップフィルムの収納箱のふたを開け、手でラップフィルムを掴み、引き出す操作を行っていた。
【発明の開示】
【発明が解決しようとする課題】
【０００３】  そのために、次のような問題点があった。
（イ）ラップフィルムを直接手で引き出すために、フィルムを均等に引き出すことが難しかった。又、引き出す途中でフィルムの端が内側にめくれて、その間のラップフィルムを無駄にすることも少なくなかった。
（ロ）手でフィルムを引き出すので操作できるラップフィルムの幅に限界があり、一般家庭用としては、幅３０ｃｍを超えるものは普及していない。
本発明はこれらの問題点を解決するためになされたものである。
【課題を解決するための手段】
【０００４】  ラップフィルム収納箱のフィルムを引き出す方の側面上部に、ラップフィルムを付着させて均等に引き出すための棒を収納するケースを設置し、同じ側面中央上部及びケースの中央部に、棒とフィルムを掴んで引き出すための指を入れる切込みを設ける。又、収納箱の横側面に、棒をケースに差し入れるための切込みをケースの位置に合わせて設け、収納箱の上蓋の横側面に、その棒を通してケースに差し入れることができるように穴を設ける。
以上を特徴とする、ラップフィルムの引き出し器具である。
【発明の効果】
【０００５】（イ）フィルムをその幅に合わせた長さの棒に付着させて引き出すので、均等に、かつ使い易い状態でフィルムを引き出すことができる。又、引き出す時にフィルムの端がめくれて失敗することを防ぐことができる。
（ロ）手と違い、棒によりフィルムを引き出すので、フィルムに合わせた長さの棒を使用すれば幅の広いラップフィルムの操作も容易で、現在の一般家庭用のものを超える大型のラップフィルムを普及させることができる。
【発明を実施するための最良の形態】
【０００６】  以下、本発明の実施の形態について説明する。
（イ）ラップフィルム（７）の幅に長さを合わせて、フィルムを付着させて引き出すためのラップ引き出し棒（１）を設ける。
（ロ）ラップ収納箱（２）のフィルムを引き出す方の側面上部内側に、ラップ引き出し棒（１）を収納するための引き出し棒ケース（６）を設置する。
（ハ）ラップ収納箱（２）のフィルムを引き出す方の側面中央上部及び引き出し棒ケース（６）の中央部に、フィルムとともにラップ引き出し棒（１）を指で摘んで引き出すための、指を入れるのに適当な大きさの切込みＡ（３）を設ける。
（ニ）ラップ収納箱（２）の横側面に、引き出し棒ケース（６）の位置に合わせて、ラップ引き出し棒（１）をケースに差し入れるための切込みＢ（４）を設ける。
（ホ）ラップ収納箱蓋（８）の横側面に、切込みＢ（４）の位置に合わせて、ラップ引き出し棒（１）を通すための穴を設ける。
本発明は、以上の構成よりなっている。
本発明を使用するときは、
（イ）ラップ引き出し棒（１）が引き出し棒ケース（６）に入っている状態で、切込みＡ（３）に指を入れ、ラップ引き出し棒（１）をラップフィルムの上からはさみ込むような形で掴んで棒をケースより引き上げる。そして図３の様に、棒にフィルムを付着させからめるような状態で、ラップフィルム（７）を必要な長さに応じて引き出す。
（ロ）ラップフィルム使用後は、蓋を閉め、ラップ引き出し（１）を図４のように引き出し棒通し穴（５）から入れて引き出し棒ケースにおさめる。
【図面の簡単な説明】
【０００７】
【図１】本発明の斜視図
【図２】本発明の一部拡大斜視図
【図３】本発明の使用状態を示す斜視図
【図４】本発明の使用状況を示す斜視図
【符号の説明】
【０００８】  １  ラップ引き出し棒
２  ラップ収納箱
３  切込みＡ
４  切込みＢ
５  引き出し棒通し穴
６  引き出し捧ケース
７  ラップフィルム
８  ラップ収納箱蓋
【図１】
2006052009.tif 000003
【図２】
2006052009.tif 000004
【図３】
2006052009.tif 000005
【図４】
2006052009.tif 000006
(57)【要約】      （修正有）【課題】自分の目の前で湯となるのを確かめさらに湯を沸かすのが面倒な人にも、湯を沸かさずに、今よりもっと簡単に調理出来るカップ麺の新調理法を提供する。【解決手段】カップ麺において、熱湯の代わりに「水」を注ぎ入れて、そのまま、電子レンジで加熱してたべる方法とこの方法をカップに表示したカップ麺。【選択図】なし【特許請求の範囲】
【請求項１】
カップラーメンなどの所謂スナック麺（カップ麺とも言い、麺とかやくの入った容器（カップ）ごと販売され、容器に熱湯を注ぐだけで食べられる即席麺（大辞林））において、熱湯の代わりに「水」を注ぎ入れて、そのまま、電子レンジで加熱して食べる方法とこの方法をカップに表示したカップ麺。（発明の名称）カップ麺新調理法
【発明の詳細な説明】
【９００００００００１】  コンビニのポプラが即席カレーに新しい物を出していて、試食して見ると酸味が利いていて美味しかった。ご飯は各店で炊いていて、それに袋詰めの出来合いカレー（インスタントカレー）を温めて掛けて、その場で食べると言う物である。私は、車の中で食べた。私を電磁波で覗かされていた所為であろう、その日には売り切れになる程売れた。それから一月くらい経った現在は落ち着いている。  よく考えて見ると、このインスタントカレーライスはその場で食べるにはよいが、家に持ち帰って食べるにはどうも適していない。弁当類は一般店でもポプラでも包装した物を温めるか温めた物を包装するかして持ち帰れるが、このインスタントカレーライスを持ち帰るとなると、包装が中々難しい。つまり、その場で食べる人しか愛食しないと考えられる。  そこで、私は、この袋入りインスタントカレーを「かまど屋」に供給したらどうかと思う。ポプラと同じくご飯は炊けているので、その点では同じであるが、現在は即席弁当屋と言うより軽食堂化しており、店内で食べれるようになっているので、持ち帰りでない人にはこちらの方が便利である。ただ、コンビニと違って軽食オンリーであるので、客が少なく安心を掛け合うことが出来にくい。もう少し軽便食品を増やし客の出入りを多くする努力を勧めたい。  なお、私は、店で温めて家に持ち帰って食べられるライスカレーとして「ドライカレーライス」と「皿に袋入りライスと袋入りインスタントカレーを盛り合わせて包装した物」を製造して卸したいと考えている。  さて、これに刺激されて、カップ麺を軽食できるようにするにはどうしたらよかろうかと考えたのが本発明である。（公序良俗違反につき、不掲載）
(57)【要約】【課題】ワイシャツのポケットに、ペンや物を入れたときでも、ポケットの型崩れを起こさないように、ポケットに、芯を取り付け、強度を増した、芯入りポケットを提供する。【解決手段】ポケットの上端部には、芯材（１）を設け、ポケット部分は全体に芯地（２）を設けることを特徴とする。【選択図】    図１
2006052510.tif 000002
【特許請求の範囲】
【請求項１】
イ）ワイシャツのポケット部（３）の上端部に、芯材（１）を設ける。
ロ）ポケットの裏側に芯地（２）を設ける。
以上の構成による、芯入りポケット。
【発明の詳細な説明】
【発明の詳細な説明】
【技術分野】
【０００１】  この発明は、ワイシャツのポケットの上端部に、芯材をつけ、ポケットの裏側には、芯地をつけた、芯入りポケットに関するものである。
【背景技術】
【０００２】  従来、ワイシャツのポケットは生地のみで、構成されており、ポケットの上端部は、生地の折り返しのみで構成されていて、芯材や、芯地は使われていなかった。
【発明が解決しようとする課題】
【０００３】  これは次のような欠点があった。
従来、ワイシャツのポケットの上端部は生地の折り返しのみで、作られていた為、垂直方向の荷重に対して強度が十分ではなかった。
その為に、ポケットにペン等を入れたり、とめたりした場合に、その重みで、型崩れを起こし、ポケット本来の形状を維持できなかった。
ペンなどの荷重が一点にかかるため、ポケット両端部が傷みやすかった。
名札などを、垂直に保持できないので、表記されている名前などを判読することが困難であった。
ポケットは、生地のみで構成されているため、ポケットに入れた内容物が、透けて見えてしまうことがあった。
本発明は、以上のような欠点をなくすために考えたものである。
【課題を解決するための手段】
【０００４】  イ）ワイシャツのポケット部（３）の上端部に、芯材（１）を設けた。
ロ）ポケットの裏側には、芯地（２）を設けた。
本発明は、以上の構成よりなる、芯入りポケットである。
【発明を実施するための最良の形態】
【０００５】  以下、本発明の実施の形態について説明する。
ポケットの生地に、芯地を貼り付ける。
ポケット部分の、補強ができたら、既定の位置にポケットを縫製する。
その時に、ポケットの上端部には、プラスチック製などの薄板状のものを硬質の芯材として、装着して縫製する。
本発明は、以上のような構造で、ポケットの使用は、従来どおり、ペン等を挿す、物を入れるなど、使用すればよい。
【発明の効果】
【０００６】  ポケット部分が芯材や、芯地で補強されているので、
ポケットに、ペンや名札を挿しても、ポケットの型崩れがなく、常に胸元をきれいな形に保持しておくことができる。
ポケットに芯材を入れ補強される事により、ペンなどをかけられた一点だけに、荷重がかかる事がなくなり、ポケット両端部の傷みが少なくなり、耐久性が向上する。
ポケットに芯材を入れ補強される事により、名札などの重みでポケットがたるみ、垂直に保持できず、表記されている名前などの表示が下を向き、読みにくくなるのを防げる。
ポケットが芯地で補強されている為に、ポケットに入れた物が、透けて見えるのを防げる。
【図面の簡単な説明】
【図１】本発明の正面図である。
【符号の説明】
１  芯材
２  ポケット生地（表）及び、芯地（裏）
３  ポケット部全体
４  ポケットの取り付け縫製
【図１】
2006052510.tif 000003
(57)【要約】【課題】袖に腕を通さなくても着替えの出来る、脇開きシャツを提供する。【解決手段】シャツの袖から脇、裾まで繋がる切り込みを設け、前身頃と後身頃が離れぬように面テープを数箇所に設置し、後身頃を手前に引っ張り出し、前身頃の面テープと合わせ易いよう、指を掛けられる紐を後身頃に取り付る事を特徴とする、紐付き脇開きシャツ。【選択図】図１
2006052508.tif 000002
【特許請求の範囲】
【請求項１】
シャツの袖から脇、裾まで繋がる切り込みを設け、前身頃と後身頃が離れぬように面テープを数箇所に設置し、後身頃を手前に引っ張り出し前身頃の面テープと合わせ易いよう、指を掛けられる紐を後身頃に取り付ける事を特徴とする、紐付き脇開きシャツ。
【発明の詳細な説明】
【技術分野】
【０００１】本発明は、紐付き脇開きシャツに関するものである。
【背景技術】
【０００２】従来、袖に腕を通さなくても着替えの出来る、脇開きシャツがあった。
（先行技術）
１．登録実用新案第３００５１７６号
２．登録実用新案第３０６２２９１号
３．登録実用新案第３０７７８７４号
４．登録実用新案第３０７９６６３号
【発明の開示】
【０００３】そのために、次のような問題点があった。
イ）前身頃と後身頃を合わせる為にボタンやファスナーを使っている為に、ベットの上で仰向け以外の体勢、特に横向きになると、留め具が体に当たり痛い思いをした。
ロ）点滴している腕をシャツの袖に通す際に、点滴の管やギブスが袖に引っ掛かる。特に点滴をしている際には、腕に刺さっている針に刺激を受け、痛い思いをした。
ハ）自分一人で着替える際に、後身頃に紐が付いていない為、前身頃と合わせる時に体を無理にひねらなければならなかった。その為に、着替えを手伝ってくれる人が来るまで、着替えを我慢した。
本発明は、これらの問題点を解決する為になされたものである。
【問題を解決する為の手段】
【０００４】  シャツの袖から脇、裾まで繋がる切り込みを設け、前身頃と後身頃が離れぬように面テープを数箇所に設置し、後身頃を手前に引っ張り出し、前身頃の面テープと合わせ易いよう、指を掛けられる紐を後身頃に取り付ける事を特徴とする、紐付き脇開きシャツである。
【発明の効果】
【０００５】イ）面テープを設置した為に、体に触れる部分の痛みが気にならなくなった。
ロ）腕を袖に通さない為、点滴の管やギブスが引っ掛からず、安全が確保出来た。
ハ）紐を取り付けた事で、片腕のみを治療している方は、一人でも着替えが可能になった。
【発明を実施する為の最良の形態】
【０００６】  以下、本発明の実施の形態について説明する。
イ）シャツ（Ｅ）の袖（１）から脇（２）、裾（３）まで繋がる切り込みを設ける。
ロ）前身頃（Ａ）と後身頃（Ｂ）が脱着し易いよう、袖（１）、脇（２）、裾（３）などに面テープ（４）を設ける。
ハ）前身頃（Ａ）と後身頃（Ｂ）の面テープ（４）を合わせ易くする為に、みぞおちの高さ位の両脇、後身頃（Ｂ）に指を掛けられる輪状の紐（５）を取り付ける。
本発明は以上のような構成で、これを使用する時は、頭部（Ｃ）を襟（６）からかぶる。袖（１）、脇（２）、裾（３）などに設置された面テープ（４）を全て剥がし、腕（Ｄ）を包み込むように袖（１）の面テープ（４）で前身頃（Ａ）と後身頃（Ｂ）を合わせる事により、腕（Ｄ）を通さなくてもよい。続いて、脇（２）の面テープ（４）にて前身頃と後身頃（Ｂ）を合わせ、輪状の紐（５）に指を掛けて後身頃（Ｂ）を手前に引き寄せ、裾（３）までの面テープ（４）も続けて合わせる。脇（２）から裾（３）まで前身頃（Ａ）と後身頃（Ｂ）が合わさったら、楽に着替えが出来る。紐が後身頃（Ｂ）に取り付けられた為に、前身頃（Ａ）と合わせ易くなり、腕（Ｄ）が片方だけでも自由に動かせる方であれば、自分一人だけでも着替えが出来るようになった。
【図面の簡単な説明】
【０００７】
【図１】本発明の正面図
【図２】本発明の向かって左側を捲くった正面図
【図３】本発明の向かって右側を捲くった正面図
【図４】本発明の下側を捲くった正面図
【図５】本発明の襟（６）部分を拡大した説明図。
【図６】本発明の使用状態の説明図。
【図７】本発明の使用状態の説明図。
【符号の説明】
【０００８】  １袖
２脇
３裾
４面テープ
５紐
６襟
Ａ前身頃
Ｂ後身頃
Ｃ頭部
Ｄ腕
Ｅシャツ
【図１】
2006052508.tif 000003
【図２】
2006052508.tif 000004
【図３】
2006052508.tif 000005
【図４】
2006052508.tif 000006
【図５】
2006052508.tif 000007
【図６】
2006052508.tif 000008
【図７】
2006052508.tif 000009
(57)【要約】［目的］  女性が胸にブラジャーを着けている際、ブラジャーに付いているホック以上にしめつけを緩めたい時や、太ってサイズが合わなくなってしまった時、洗濯によってブラジャーが縮んでしまった時、あるいはブラジャーのしめつけからの血行障害を緩和したい時にブラジャーについているホック以上にブラジャーのバンドを緩めることはできなかった。その難点を解消することが目的である。またひとつあれば多数のブラジャーに対応ができる。［構成］  従来のブラジャーのホックに、独立した形態のホックをつけて縫合した布を装着する。【選択図】        図２
2006052514.tif 000002
【特許請求の範囲】
【請求項１】
従来のホックのあるブラジャーに装着するもので、ブラジャーのしめつけの緩和を目的とした独立した形のかぎホックをつけて縫合した布
【発明の詳細な説明】
【発明の詳細な説明】
【０００１】  本発明は女性が胸に着けているブラジャーに装着するだけで、しめつけを緩和させることができ、ひとつあれば多数に対応できる、かぎホックをつけて縫合した女性下着、ブラジャーの補助的役割を果たすものである。
【０００２】  従来のブラジャーは、しめつけをゆるめたい時や、何度も洗濯しているうちに少しずつ縮んだ時、装着する人が少し太ったりした時、もともとついているいくつかのホック以上にはゆるめることが出来ないので、それ以上対応が出来なかった。
【０００３】  本発明はその欠点をなくし、ブラジャーのしめつけを緩和するために考案した。従来のブラジャーのホックとホックの間に、独立した形態の、ホックをつけて縫合した布を装着させることによりブラジャーのサイズにゆとりが出来るというものである。
【０００４】  このようなブラジャーの装着物があることにより、何度か洗濯をしているうちに縮んでしまったブラジャーや、太ってサイズがあわなくなった時、食事後にしめつけをゆるめたい時、家でよりリラックスしたい時、ブラジャーのしめつけからおこる血行障害の緩和に対応が出来る。
【図面の簡単な説明】
【図１】本案の斜視図
【図２】従来のホック付きブラジャーへ装着した時の斜視図
【符号の説明】
１はホックのついた縫合した布２は従来の一般的なブラジャー
【図１】
2006052514.tif 000003
【図２】
2006052514.tif 000004
(57)【要約】【課題】  化粧パネルの施工時や解体時に粉塵が発生することがなく、またビス留めをすることなく見栄えがよく、施工、解体が容易にしかも乾式で行うことができ、熟練度を必要としないものとする。【解決手段】  スタッド９に上側ジョイナー２、下側ジョイナー２´を固定し、該ジョイナーにはシート磁石３、防錆鋼板５、接着層を介して上側化粧パネル１と下側化粧パネル１´を取り付け、該上側化粧パネル１は該上側ジョイナー２に支承されるとともに前面をストッパー７で押さえ、該ストッパー７は該上側ジョイナー２と該下側ジョイナー２´で挟着する。【選択図】  図２
2006052560.tif 000002
【特許請求の範囲】
【請求項１】
スタッド９に上側ジョイナー２、下側ジョイナー２´が固定され、該ジョイナーにはシート磁石３、防錆鋼板５、接着層を介して上側化粧パネル１と下側化粧パネル１´が取着され、該上側化粧パネル１は該上側ジョイナー２に支承されるとともの前面をストッパー７で押さえられ、該ストッパー７は該上側ジョイナー２と該下側ジョイナー２´に挟着されていることを特徴とする化粧パネルの取り付け構造。
【発明の詳細な説明】
【技術分野】
【０００１】
本発明は、化粧パネルの取り付け構造に関する。
【背景技術】
【０００２】
従来、防錆金属スタッドを使用して壁面を構成する例として、オフィス壁面と間仕切り、学校のトイレ壁面と間仕切り、マンションの間仕切り、店舗の壁面と間仕切り、住宅のキッチン壁面などがある。
【発明の開示】
【発明が解決しようとする課題】
【０００３】
しかしながら、石膏ボードを下貼りしてから化粧パネルが取り付けられるため解体時に石膏ボードの粉塵と廃棄の問題があった。
これを解決するためビスで留めることも可能であるがビスが見栄えを悪くするといった問題があった。
【０００４】
【特許文献１】特開２００４−６５７１０号
【課題を解決するための手段】
【０００５】
本発明は、かかる状況に鑑み検討されたもので、簡易取り付けと簡易解体を強力シート磁石で実現し、簡単に化粧パネルの位置決めして取り付けられるようにジョイナーを用い、ストッパーで化粧パネルのガタツキを防ぐ構造とすることを特徴とするものである。
【発明の効果】
【０００６】
本発明の構造によれば石膏ボードを用いていないので、施工時や解体時に粉塵が発生することがない。またビス留めをしないので見栄えがよく、施工、解体が容易にしかも乾式で行うことができ、熟練度を必要としない。
【発明を実施するための最良の形態】
【０００７】
以下、本発明を図面に基づいて詳細に説明する。図１は本発明の化粧パネルの取り付け構造を示す正面図であり、上側化粧パネル１と下側化粧パネル１´が取り付けられている。図２は図１中の線Ａ−Ａの沿う断面図である。
【０００８】
スタッド９には上側ジョイナー２、下側ジョイナー２´がリベット４で固定されている。上下の化粧パネル（１、１´）はジョイナー（２、２´）から順にシート磁石３、防錆鋼板５、両面テープ６を介して取り付けられている。
化粧パネル（１、１´）としては、厚み３ｍｍのメラミン樹脂化粧板が用いられている。メラミン樹脂化粧板以外にも、意匠性、耐水性、耐熱性、剛性を有するものであれば特に限定はされず、例えば、アクリル樹脂、不飽和ポリエステル樹脂などの樹脂を注型成形した注型品や、不飽和ポリエステル樹脂を用いてフィルム成形して得られるポリエステル樹脂化粧板、ジアリルフタレ−ト樹脂化粧板などの化粧板が適用できる。望ましくは、耐汚染性、耐摩耗性にも優れた性能を有し、傷がつきにくい注型品や、メラミン樹脂化粧板を用いるのが好ましい。
【０００９】
シート磁石３としては希土類シート磁石が用いられている。磁石としては希土類磁石の他、フェライト磁石、アルニコ磁石が挙げられるが、化粧パネルの大きさが大きくなればなるほど、また、厚みが厚くなればなるほど重くなるため高磁力が必要とされるため、フェライト磁石、アルニコ磁石に比べ磁束密度の大きい希土類磁石がとりわけ好ましい。
【００１０】
希土類磁石とは、スカンジウム、イットリウム、ランタン、セリウム、プラセオジウム、ネオジウム、プロメチウム、サマリウム、ユーロビウム、ガドリウム、テレビウム、ジスプロジウム、ホルミウム、エルビウム、ツリウム、イッテルビウム、ルテチウムなどの希土類金属を磁性材料に混ぜ合わせたものであり、磁性シートは、希土類系磁性粉と、樹脂バインダー、例えば合成ゴム又は熱可塑性合成樹脂と、カップリング剤、加硫剤、老化防止剤などとを混練して、軟化させた後、押出成形、射出成形、カレンダー成形などによりシート状に成形し、磁界を印加させたものである。
【００１１】
希土類系磁性粉の粒径は２０〜１５０μｍが好ましく、配合割合は７５〜９５重量％が好ましい。粒径が小さくなると、磁気特性が低下しやすく、粒径が大きくなると、磁石粉の配向性が悪くなる。配合割合は多ければ多いほど磁気特性が向上するが９５重量％を超えると磁性シートが脆くなる。
【００１２】
希土類系磁性体としては、残留磁束密度、保磁力、最大エネルギー積が大きいものがとりわけ好ましく、組成的にはサマリウム−コバルト系、サマリウム−鉄−窒素系、ネオジウム−鉄−ボロン系、セリウム−コバルト系、イットリウム−コバルト系などであり、本発明ではネオジウム−鉄−ボロン系が用いられている。
【００１３】
合成ゴムとしては、ニトリルゴム、ニトリル−ブタジエンゴム、シリコーンゴム、ウレタンゴム、フッ素ゴム、アクリルゴム、ブチルゴムなどが挙げられ、また熱可塑性合成樹脂としては、塩化ビニルエラストラマー、スチレン系エラストラマー、オレフィン系エラストラマー、ポリエステル系エラストラマー、ポリアミド系エラストラマー、ウレタン樹脂などが挙げられ、本発明ではニトリル−ブタジエンゴムが用いられている。
【００１４】
防錆鋼板５としては、Ａｌ、Ｔｉ、Ｆｅ、Ｎｂ、Ｃｕ、ＳＵＳなどの金属の箔を巻き込んだものや、鋼板の表面を防錆処理した表面処理鋼板、具体的には、電気亜鉛めっき鋼板（商品名  ボンデ鋼板  新日本製鐵株式会社製）が用いられている。これ以外にも表面処理鋼板としては、溶融亜鉛めっき鋼板、合金化溶融亜鉛めっき鋼板、溶融系二層めっき鋼板などの溶融亜鉛めっき鋼板、電気亜鉛合金めっき鋼板、電気系二層合金めっき鋼板、電気系有機被膜めっき鋼板などの電気亜鉛めっき系鋼板、ターンめっき鋼板、電気錫めっき鋼板などが挙げられる。
【００１５】
上側化粧パネル１のガタツキ、脱落を防ぐため、上側ジョイナー２で支え、前面からストッパー７で押さえつけられている。
【図面の簡単な説明】
【００１６】
【図１】本発明の化粧パネルの取り付け構造を示す透視平面図。
【図２】図１中の線Ａ−Ａに沿う構成断面図。
【符号の説明】
【００１７】
１    上側の化粧パネル
１´  下側の化粧パネル
２    上側のジョイナー
２´  下側のジョイナー
３    シート磁石
４    リベット
５    防錆鋼板
６    両面テープ
７    ストッパー
９    スタッド
【図１】
2006052560.tif 000003
【図２】
2006052560.tif 000004